(57)【要約】【課題】内部に収容したシャンプー、リンス又はボディソープ等の液体への水の混入を防止して前記液体の劣化を抑制することができるとともに、蓋体の容器本体への取り付け作業及び容器本体からの取り外し作業を容易に行うことができるディスペンサー容器を提供する。【解決手段】底板７及び底板７の外周部から上方へ延びる側壁８からなる、詰め替え袋Ａ入りの液体Ｂを収容する容器本体２、上板９及び上板１０の外周部から下方へ延びる側壁１０からなる、容器本体２をその下端部まで被う蓋体３、並びに、上板９に装着された、液体Ｂを外部へ吐出するためのディスペンサー４からなるディスペンサー容器１であって、容器本体２に蓋体３を取り付けた状態で、内側の側壁８と外側の側壁１０との間に隙間を形成するとともに、容器本体２の下端部外側面と蓋体３の下端部内側面との間の隙間を埋める粘弾性体５を備えた。【選択図】図３
0003163294.tif 000002
【実用新案登録請求の範囲】
【請求項１】
底板及び該底板の外周部から上方へ延びる側壁からなる、詰め替え袋入りの液体を前記詰め替え袋ごと又は前記液体のみを収容する容器本体、上板及び該上板の外周部から下方へ延びる側壁からなる、前記容器本体をその下端部まで被う蓋体、並びに、前記上板に形成された液体注出口に装着された、前記液体を外部へ吐出するためのディスペンサーからなるディスペンサー容器であって、
前記容器本体に前記蓋体を取り付けた状態で、内側の前記容器本体の側壁と外側の前記蓋体の側壁との間に隙間を形成するとともに、前記容器本体の下端部外側面と前記蓋体の下端部内側面との間の隙間を埋める、前記容器本体及び蓋体の少なくともどちらかに装着された粘弾性体を備えてなることを特徴とするディスペンサー容器。
【請求項２】
前記容器本体に前記蓋体を取り付けた状態で、前記蓋体の下端面が当接する粘弾性体を前記容器本体に取り付けてなる請求項１記載のディスペンサー容器。
【請求項３】
前記容器本体に前記蓋体を取り付けた状態で、これらの間に介在する前記粘弾性体及びこの粘弾性体に摺動する部材の一方に水平方向に延びる周状凹部を形成するとともに、他方に前記周状凹部に係合する周状凸部を形成してなる請求項１記載のディスペンサー容器。
【請求項４】
底板及び該底板の外周部から上方へ延びる側壁からなる、詰め替え袋入りの液体を前記詰め替え袋ごと又は前記液体のみを収容する容器本体、上板及び該上板の外周部から下方へ延びる側壁からなる、前記容器本体をその下端部まで被う蓋体、並びに、前記上板に形成された液体注出口に装着された、前記液体を外部へ吐出するためのディスペンサーからなるディスペンサー容器であって、
前記容器本体に前記蓋体を取り付けた状態で、内側の前記容器本体の側壁と外側の前記蓋体の側壁との間に隙間を形成するとともに、前記容器本体の下端部外側面及び前記蓋体の下端部内側面の一方に、他方に向かって突出して前記隙間を埋める、水平方向に延びる周状凸部又は周状段部を形成してなることを特徴とするディスペンサー容器。
【考案の詳細な説明】
【技術分野】
【０００１】
本考案は、シャンプー等の液体を収容してディスペンサーにより外部へ吐出するディスペンサー容器に関するものである。
【背景技術】
【０００２】
シャンプー、リンス又はボディソープ等の液体を収容してディスペンサーにより外部へ吐出するディスペンサー容器として、詰め替え袋入りの前記液体を詰め替え袋ごと容器本体内に収容して移し替え作業を無くすとともに容器本体及びディスペンサーを廃棄せずに使用するものがある（例えば、特許文献１〜３参照。）。
このようなディスペンサー容器においては、上面を開口した容器本体に詰め替え袋ごと前記液体を収容し、容器本体に対してディスペンサー付きの蓋体を取り付けできる構造とする必要があり、特許文献１では容器本体の上端部に蓋体を外嵌する構造を、特許文献２では容器本体の上端部に蓋体を螺合する構造を、特許文献３では容器本体の下端部に蓋体を螺合する構造を採用している。
【先行技術文献】
【特許文献】
【０００３】
【特許文献１】登録実用新案第３０８４９８１号公報
【特許文献２】特開２００２−２４０８５６号公報
【特許文献３】特開２００９−２６９６５１号公報
【考案の概要】
【考案が解決しようとする課題】
【０００４】
シャンプー、リンス又はボディソープ等の液体を収容したディスペンサー容器は、主に浴室で使用されるため、湿気が多い空間内で使用されるとともに、シャワー等により温水や冷水が掛かる場合がある。
また、シャンプー、リンス又はボディソープ等の大敵は水であり、水が混入すると劣化する。
したがって、ディスペンサー容器において、その内部に収容した前記液体に水が混入しないようにする構造がより好ましいものである。
しかしながら、特許文献１〜３のディスペンサー容器では、このような前記液体に水が混入しないようにするための構造上の配慮はされていない。
【０００５】
すなわち、特許文献１及び２の構造では、特に合成樹脂で製作される容器本体及び蓋部はそれらの形状精度が出にくいため、容器本体の上端部と蓋体との接合部から内部に水が侵入する場合がある。
これらに対して、特許文献３の構造では、容器本体（内枠体）と蓋体（外枠体）との接合部（螺合部）が容器本体の下端部にあり、容器本体の側壁と蓋体の側壁とが重なるため、前記接合部から内部に水が侵入しにくい構造となっている。
しかしながら、容器本体の側壁と蓋体の側壁とが重なる構造であることから、容器本体に蓋体を嵌挿して螺合する作業が比較的面倒なものであるとともに、この作業をする際に空気抜きをする必要があるため、容器本体の下部に、内部に侵入した水を排出する水抜き孔としても機能する空気抜き孔を設けている。
したがって、特に容器を移動する際等に前記空気抜き孔から水が侵入する場合があるとともに、容器が密閉されていないため内部に湿気が入りやすい。
また、容器本体の下部に空気抜き孔があることから、詰め替え袋ごとではなく液体のみを収容することができない。
ここで、前記空気抜き孔に栓をすることも考えられるが、この栓の脱着作業が面倒であるとともに栓を紛失するおそれもあるし、空気抜き孔の加工コストに加えて栓の製造コストが増大する。
【０００６】
そこで本考案が前述の状況に鑑み、解決しようとするところは、その内部に収容したシャンプー、リンス又はボディソープ等の液体への水の混入を防止して前記液体の劣化を抑制することができるとともに、蓋体の容器本体への取り付け作業及び容器本体からの取り外し作業を容易に行うことができるディスペンサー容器を提供する点にある。
【課題を解決するための手段】
【０００７】
本考案に係るディスペンサー容器は、前記課題解決のために、底板及び該底板の外周部から上方へ延びる側壁からなる、詰め替え袋入りの液体を前記詰め替え袋ごと又は前記液体のみを収容する容器本体、上板及び該上板の外周部から下方へ延びる側壁からなる、前記容器本体をその下端部まで被う蓋体、並びに、前記上板に形成された液体注出口に装着された、前記液体を外部へ吐出するためのディスペンサーからなるディスペンサー容器であって、前記容器本体に前記蓋体を取り付けた状態で、内側の前記容器本体の側壁と外側の前記蓋体の側壁との間に隙間を形成するとともに、前記容器本体の下端部外側面と前記蓋体の下端部内側面との間の隙間を埋める、前記容器本体及び蓋体の少なくともどちらかに装着された粘弾性体を備えてなることを特徴とする。
【０００８】
このような構成によれば、上面全体が開口した容器本体内に詰め替え袋入りの前記液体を詰め替え袋ごと収容して移し替え作業を無くすことができる。
その上、容器本体に蓋体を取り付けた状態で、内側の容器本体の側壁と外側の蓋体の側壁との間に隙間を形成していることから、蓋体を容器本体に取り付ける作業及び蓋体を容器本体から取り外す作業を行う際に、これらの作業を円滑に行うための空気抜き孔を設ける必要がないため、空気抜き孔からの水分の侵入がないとともに加工コストを低減することができる。
その上さらに、容器本体の上面全体が開口しているとともに底板に空気抜き孔を形成する必要がないため、例えば大きな詰め替え袋に入っている容器から液体のみを注入する作業がしやすいため、液体のみを容器本体内に収容することも容易である。
【０００９】
その上、蓋体が容器本体に取り付けられた状態で容器本体をその下端部まで被っていることから容器本体の側壁と蓋体の側壁とが重なっているともに、粘弾性体により容器本体の下端部外側面と蓋体の下端部内側面との間の隙間が埋められているため、内部に水が侵入しにくい構造となっている。
その上さらに、容器本体に対して蓋体を螺合する構造ではなく、これらの間に粘弾性体を介在させて密着させる構造であるとともに粘弾性体の上側の容器本体の側壁及び蓋体の側壁間に隙間が設けられているため、蓋体の容器本体への取り付け作業及び容器本体からの取り外し作業を容易に行うことができる。
その上、蓋体が容器本体に取り付けられた状態で容器本体をその下端部まで被っており、容器本体の上端部に蓋体との接合部がないことから、滑らかなすっきりとした外観にすることができるため、スタイルや流行に敏感な女性にも受け入れられやすい、化粧品の容器のような商品価値の高いデザインにすることができる。
【００１０】
ここで、前記容器本体に前記蓋体を取り付けた状態で、前記蓋体の下端面が当接する粘弾性体を前記容器本体に取り付けてなると好ましい。
このような構成によれば、粘弾性体により容器本体の下端部外側面と蓋体の下端部内側面との間の隙間が埋められているとともに、さらに容器本体に取り付けられた粘弾性体に蓋体の下端面が当接することから密封性が高くなるため、容器本体内部への水の侵入防止効果をより高くすることができる。
【００１１】
また、前記容器本体に前記蓋体を取り付けた状態で、これらの間に介在する前記粘弾性体及びこの粘弾性体に摺動する部材の一方に水平方向に延びる周状凹部を形成するとともに、他方に前記周状凹部に係合する周状凸部を形成してなると好ましい。
このような構成によれば、容器本体に蓋体を取り付けると周状凹部に周状凸部が係合した状態になることから、容器本体内部への水の侵入防止効果が高くなるとともに、蓋体を持って持ち上げた際に容器本体が外れにくくなる。
【００１２】
さらに、本考案に係るディスペンサー容器は、前記課題解決のために、底板及び該底板の外周部から上方へ延びる側壁からなる、詰め替え袋入りの液体を前記詰め替え袋ごと又は前記液体のみを収容する容器本体、上板及び該上板の外周部から下方へ延びる側壁からなる、前記容器本体をその下端部まで被う蓋体、並びに、前記上板に形成された液体注出口に装着された、前記液体を外部へ吐出するためのディスペンサーからなるディスペンサー容器であって、前記容器本体に前記蓋体を取り付けた状態で、内側の前記容器本体の側壁と外側の前記蓋体の側壁との間に隙間を形成するとともに、前記容器本体の下端部外側面及び前記蓋体の下端部内側面の一方に、他方に向かって突出して前記隙間を埋める、水平方向に延びる周状凸部又は周状段部を形成してなることを特徴とする。
このような構成によれば、周状凸部又は周状段部により容器本体の下端部外側面と蓋体の下端部内側面との間の隙間が埋められているため、内部に水が侵入しにくい構造となっていること等、前記効果と同様の効果を奏するとともに、前記粘弾性体を無くしたことによる部品点数の削減効果により、コストをさらに低減することができる。
【考案の効果】
【００１３】
以上のように、本考案に係るディスペンサー容器によれば、蓋体が容器本体に取り付けられた状態で容器本体をその下端部まで被っていることから容器本体の側壁と蓋体の側壁とが重なっているともに、粘弾性体又は周状凸部若しくは周状段部により容器本体の下端部外側面と蓋体の下端部内側面との間の隙間が埋められているため、内部に水が侵入しにくく、内部に収容したシャンプー、リンス又はボディソープ等の液体への水の混入を防止して前記液体の劣化を抑制することができ、容器本体に対して蓋体を螺合する構造ではないとともに、粘弾性体又は周状凸部若しくは周状段部の上側の容器本体の側壁及び蓋体の側壁間に隙間が設けられているため、蓋体の容器本体への取り付け作業及び容器本体からの取り外し作業を容易に行うことができるという顕著な効果を奏する。
【図面の簡単な説明】
【００１４】
【図１】本考案の実施の形態に係るディスペンサー容器の斜視図である。
【図２】同ディスペンサー容器において、容器本体から蓋体を取り外した状態を示す斜視図である。
【図３】同ディスペンサー容器の部分縦断正面図である。
【図４】容器下端部に装着した粘弾性体まわりの構造を示す要部拡大縦断正面図である。
【図５】前記粘弾性体まわりの構造のバリエーションを示す要部拡大縦断正面図であり、（ａ）は粘弾性体の上下方向の長さを長くした例を、（ｂ）はさらに凹凸係合部を形成した例を示している。
【図６】粘弾性体を用いない構造のバリエーションを示す要部拡大縦断正面図であり、（ａ）及び（ｂ）は周状凸部により隙間を塞ぐ構成例を、（ｃ）は周状段部により隙間を塞ぐ構成例を示している。
【考案を実施するための形態】
【００１５】
次に本考案の実施の形態を添付図面に基づき詳細に説明するが、本考案は、添付図面に示された形態に限定されず実用新案登録請求の範囲に記載の要件を満たす実施形態の全てを含むものである。
【００１６】
図１〜図３に示すように、本考案の実施の形態に係るディスペンサー容器１は、詰め替え袋Ａ入りの、シャンプー、リンス又はボディソープ等の液体Ｂを詰め替え袋Ａごと収容することができ、上面に開口８Ａが形成された矩形箱状の容器本体２、容器本体２を被うように上側から被せられる、下面に開口１０Ａが形成された矩形箱状の蓋体３、蓋体３の上面に装着された、液体Ｂを外部へ吐出するためのディスペンサー４、及び、容器本体２の下端部に装着された、容器本体２の下端部外側面と蓋体３の下端部内側面との間の隙間を埋めて密封するための粘弾性体５からなる。
ここで、容器本体２及び蓋体３は、ポリプロピレン、ポリアセタール、ポリアミド又はＡＢＳ等のプラスチックで製作されるが、容器本体２及び蓋体３の一方又は両方を陶器やガラス等により製作してもよい。
なお、容器本体２及び蓋体３は、矩形箱状の形状に限定されるものではなく、円筒状のものや、平面視において三角形又は５角形以上の多角形等であってもよいが、シャンプー、リンス及びボディソープ等を収容した複数の容器を密着させた状態で並置することを考えると、本実施の形態のように平面視において長辺及び短辺からなる矩形状のものが好ましい実施態様である。
【００１７】
容器本体２は、矩形板状の底板７及び底板７の外周部から上方へ延びる側壁８を有して上面に開口８Ａが形成されており、その下端部には底面及び側面の下端部を被うように粘弾性体５が装着される。
ここで、粘弾性体５は、例えば、シリコーンゴム、ウレタンゴム、ニトリルゴム、フッ素ゴム及びアクリロニトリルブタジエンゴム等の合成ゴムの１種からなるもの、又は、前記合成ゴムの２種以上をブレンドしたものである。
蓋体３は、液体注出口６が形成された上板９及び上板９の外周部から下方へ延びる側壁１０を有して下面に開口１０Ａが形成されており、液体注出口６にディスペンサー４が装着される。
ディスペンサー４は、ポンプ式ノズル又はスプレー式ノズル等であり、液体注入口６を形成する円筒状の口部に螺着された蓋部１２、蓋部１２の上側に位置する被操作部である押下げ部１３、詰め替え袋Ａ内へ挿入された吸上管１４及び押下げ部１３に横設されたノズル１５からなり、押下げ部１３を押し下げると、内蔵されたポンプ機構により詰め替え袋Ａ内に充填された液体Ｂの一定量が吸い上げられ、吸い上げられた液体Ｂがノズル１５の吐出口から吐出する。
【００１８】
図１及び図３に示すように容器本体２に蓋体３を取り付けた状態では、容器本体２はその下端部まで（底面よりも少し上側の位置まで）蓋体３により被われており、この状態で、図４に示すように内側の容器本体２の側壁８と外側の蓋体３の側壁１０との間に隙間Ｇが形成されている。
また、図４に示すように、容器本体２の下端部外側面の周囲に形成された係合溝部８Ｂに粘弾性体５が係合するように、粘弾性体５が接着等により容器本体２に取り付けられており、粘弾性体５には、その蓋体３の下端部内側面が当接する。
したがって、容器本体２に蓋体３が取り付けられた状態では、容器本体２がその下端部まで蓋体３により被われており、容器本体２の側壁８と蓋体３の側壁１０とが重なっているともに、前記粘弾性体５が容器本体２の下端部外側面と蓋体３の下端部内側面との間の隙間Ｇを埋めるため、容器本体２の内部に水が侵入しにくい構造となっている。
【００１９】
図４に示す粘弾性体５には、蓋体３を容器本体２に取り付ける際又は蓋体３を容器本体２から取り外す際に蓋体３の下端部内側面が摺動する外側面である摺動部５Ａと、容器本体２に蓋体３を取り付けた状態で、蓋体３の下端面が当接する段部の上面である当止部５Ｂが形成されていることから、さらに密封性が高くなるため容器本体２内部への水の侵入防止効果をより高くすることができる。
なお、このように容器本体２の下端部外側面と蓋体３の下端部内側面との間の隙間Ｇを埋める粘弾性体は、蓋体３に取り付けてもよいし、容器本体２及び蓋体３の両方に取り付けて粘弾性体同士を当接させて密封するようにしてもよく、前記摺動部５Ａを形成する粘弾性体と前記当止部５Ｂを形成する粘弾性とを別体のものとしてもよい。
【００２０】
以上のようなディスペンサー容器１の構成によれば、上面全体が開口した容器本体２内に詰め替え袋Ａ入りの液体Ｂを詰め替え袋Ａごと収容して移し替え作業を無くすことができる。
また、容器本体２に蓋体３を取り付けた状態で、内側の容器本体２の側壁８と外側の蓋体３の側壁１０との間に隙間Ｇを形成していることから、蓋体３を容器本体２に取り付ける作業及び蓋体３を容器本体２から取り外す作業を行う際に、これらの作業を円滑に行うための空気抜き孔を設ける必要がないため、空気抜き孔からの水分の侵入がないとともに加工コストを低減することができる。
さらに、容器本体２の上面全体が開口しているとともに底板７に空気抜き孔を形成する必要がないため、例えば大きな詰め替え袋に入っている容器から液体のみを注入する作業がしやすいため、液体のみを容器本体２内に収容することも容易である。
【００２１】
さらにまた、容器本体２に対して蓋体３を螺合する構造ではなく、これらの間に粘弾性体５を介在させて密着させる構造であるとともに粘弾性体５の上側の容器本体２の側壁８及び蓋体３の側壁１０間に隙間Ｇが設けられているため、蓋体３を容器本体２に取り付ける作業及び蓋体３を容器本体２から取り外す作業を容易に行うことができる。
また、蓋体３が容器本体２に取り付けられた状態で容器本体２をその下端部まで被っており、容器本体２の上端部に蓋体３との接合部がないことから、滑らかなすっきりとした外観にすることができるため、スタイルや流行に敏感な女性にも受け入れられやすい、化粧品の容器のような商品価値の高いデザインにすることができる。
さらに、容器本体２の底面及び側面の下端部を粘弾性体５が被っており、蓋体３の下端よりも下側に粘弾性体５が帯状に露出するため、粘弾性体５を着色して粘弾性体５のみを色分けすることにより、シャンプー、リンス又はボディソープ等の内容物を識別することができる。
さらにまた、容器本体２の底面を粘弾性体５が被っていることから、その滑り止め効果により滑りやすい浴室内等であっても安定した状態で設置することができる。
【００２２】
ここで、図５（ａ）のように蓋体３の下端部内側面が摺動する外側面である摺動部５Ａの上下方向の長さを長くすることにより、蓋体３をディステンサー容器１（図１参照。）を持って持ち上げた際に容器本体２が外れにくくなる。
また、図５（ｂ）のように粘弾性体５に摺動する部材である蓋体３の側壁１０の内側面に水平方向に延びる周状凹部１１Ａを形成し、粘弾性体５に周状凹部１１Ａに係合する周状凸部１１Ｂを形成してもよく、このような構成にすることにより、容器本体２に蓋体３を取り付けると周状凹部１１Ａに周状凸部１１Ｂが係合した状態になることから、容器本体２内部への水の侵入防止効果を高くすることができるとともに、蓋体３を持って持ち上げた際における容器本体２の外れ防止効果をさらに高くすることができる。
【００２３】
以上の説明で示した容器本体２の下端部外側面と蓋体３の下端部内側面との間の隙間を粘弾性体５により塞いで密封する構成は、密封性能が高いため好ましい実施態様であるが、本考案はこのような構成に限定されるものではない。
すなわち、図６（ａ）又は図６（ｂ）に示すような水平方向に延びる周状凸部１６Ａ又は１６Ｂを容器本体２の下端部外側面に形成して、矢印Ｃのように容器本体２に蓋体３を取り付ける際に蓋体３の下端部内側面に周状凸部１６Ａ又は１６Ｂを密接させるようにしてもよい。
あるいは、図６（ｃ）に示すような水平方向に延びる周状段部１７を容器本体２の下端部外側面に形成して、矢印Ｃのように容器本体２に蓋体３を取り付ける際に蓋体３の下端部内側面に周状段部１７を密接させるようにしてもよい。
なお、これらのような周状凸部又は周状段部は、容器本体２の下端部外側面ではなく蓋体３の下端部内側面に形成してもよい。
以上のような粘弾性体５を用いない構成によれば、粘弾性体５を無くしたことによる部品点数の削減効果により、コストを低減することができる。
【符号の説明】
【００２４】
Ａ  詰め替え袋
Ｂ  液体
Ｇ  隙間
１  ディスペンサー容器
２  容器本体
３  蓋体
４  ディスペンサー
５  粘弾性体
５Ａ  摺動部
５Ｂ  当止部
６  液体注出口
７  底板
８  側壁
８Ａ  開口
８Ｂ  係合溝部
９  上板
１０  側壁
１０Ａ  開口
１１Ａ  周状凹部
１１Ｂ  周状凸部
１２  蓋部
１３  押下げ部
１４  吸上管
１５  ノズル
１６Ａ，１６Ｂ  周状凸部
１７  周状段部
【図１】
0003163294.tif 000003
【図２】
0003163294.tif 000004
【図３】
0003163294.tif 000005
【図４】
0003163294.tif 000006
【図５】
0003163294.tif 000007
【図６】
0003163294.tif 000008